(57)【要約】【課題】従来のオーニング装置では、可撓性面状体が１つだけであり、１つの可撓性面状体だけでは、遮蔽性能が不足する可能性があるため、遮蔽性を向上できるオーニング装置を提供することを目的とする。【解決手段】本発明に係るオーニング装置１は、太陽光を遮るように張られる外側可撓性面状体２と内側可撓性面状体６とを備え、内側可撓性面状体６は、外側可撓性面状体２における太陽光を受ける側の面とは反対側の面と対面して太陽光を遮るように張られることが可能なように設けられたことを特徴とする。【選択図】図１
2016176187.tif 000002
【特許請求の範囲】
【請求項１】
太陽光を遮るように張られる外側可撓性面状体と内側可撓性面状体とを備え、
内側可撓性面状体は、外側可撓性面状体における太陽光を受ける側の面とは反対側の面と対面して太陽光を遮るように張られることが可能なように設けられたことを特徴とするオーニング装置。
【請求項２】
外側可撓性面状体は、一端側が建物の躯体側に設けられた外側巻取体に連結されて当該外側巻取体に巻き取られ、他端側を引っ張ることにより外側巻取体から繰り出されるように構成されており、
内側可撓性面状体は、一端側が建物の躯体側に設けられた内側巻取体に連結されて当該内側巻取体に巻き取られ、他端側を引っ張ることにより内側巻取体から繰り出されるように構成されており、
外側可撓性面状体が繰り出された状態に外側可撓性面状体の他端部を保持する外側保持手段と、
内側可撓性面状体が繰り出された状態に内側可撓性面状体の他端部を保持する内側保持手段と、を備えたことを特徴とする請求項１に記載のオーニング装置。
【請求項３】
内側巻取体を巻取方向及び繰出方向に回転可能に支持する回転支持体と、当該回転支持体が取付けられる躯体側取付部と、当該回転支持体と躯体側取付部とを着脱可能に連結する連結手段と、を備えたことを特徴とする請求項２に記載のオーニング装置。
【請求項４】
外側保持手段は、一端側が外側可撓性面状体の他端部と連結されるとともに、他端側が建物の躯体側にヒンジを介して回転可能に連結されたアームにより構成されたことを特徴とする請求項２又は請求項３に記載のオーニング装置。
【請求項５】
内側保持手段は、アームの一端側に設けられて内側可撓性面状体の他端部を着脱可能に取付けるための取付部により構成されたことを特徴とする請求項４に記載のオーニング装置。
【発明の詳細な説明】
【技術分野】
【０００１】
本発明は、太陽光を遮るように張られる可撓性面状体（キャンバス）を備えたオーニング装置に関する。
【背景技術】
【０００２】
キャンバスと呼ばれる長尺な布生地により構成されて、一端が建物の躯体に回転可能に取り付けられた巻取体に連結されて当該巻取体に巻き取られるとともに、他端側が引っ張られて巻取体から繰り出され太陽光を遮るように張られる可撓性面状体を備えたオーニング装置が知られている（例えば特許文献１等参照）。
【先行技術文献】
【特許文献】
【０００３】
【特許文献１】特開２０１２−２０７４８１号公報
【発明の概要】
【発明が解決しようとする課題】
【０００４】
従来のオーニング装置では、可撓性面状体（キャンバス）が１つだけであり、１つの可撓性面状体だけでは、遮蔽性能が不足する可能性がある。
本発明は、遮蔽性を向上できるオーニング装置を提供することを目的とする。
【課題を解決するための手段】
【０００５】
本発明に係るオーニング装置は、太陽光を遮るように張られる外側可撓性面状体と内側可撓性面状体とを備え、内側可撓性面状体は、外側可撓性面状体における太陽光を受ける側の面とは反対側の面と対面して太陽光を遮るように張られることが可能なように設けられたことを特徴とする。
また、外側可撓性面状体は、一端側が建物の躯体側に設けられた外側巻取体に連結されて当該外側巻取体に巻き取られ、他端側を引っ張ることにより外側巻取体から繰り出されるように構成されており、内側可撓性面状体は、一端側が建物の躯体側に設けられた内側巻取体に連結されて当該内側巻取体に巻き取られ、他端側を引っ張ることにより内側巻取体から繰り出されるように構成されており、外側可撓性面状体が繰り出された状態に外側可撓性面状体の他端部を保持する外側保持手段と、内側可撓性面状体が繰り出された状態に内側可撓性面状体の他端部を保持する内側保持手段と、を備えたことを特徴とする。
また、内側巻取体を巻取方向及び繰出方向に回転可能に支持する回転支持体と、当該回転支持体が取付けられる躯体側取付部と、当該回転支持体と躯体側取付部とを着脱可能に連結する連結手段と、を備えたことを特徴とする。
また、外側保持手段は、一端側が外側可撓性面状体の他端部と連結されるとともに、他端側が建物の躯体側にヒンジを介して回転可能に連結されたアームにより構成されたことを特徴とする。
さらに、内側保持手段は、アームの一端側に設けられて内側可撓性面状体の他端部を着脱可能に取付けるための取付部により構成されたことを特徴とする。
【発明の効果】
【０００６】
本発明に係るオーニング装置によれば、太陽光を遮るように張られる外側可撓性面状体と内側可撓性面状体とを備えたので、遮蔽性を向上できる。
また、外側可撓性面状体が繰り出された状態に外側可撓性面状体の他端部を保持する外側保持手段と、内側可撓性面状体が繰り出された状態に内側可撓性面状体の他端部を保持する内側保持手段と、を備えたので、外側可撓性面状体と内側可撓性面状体とを太陽光を遮るように張られた状態に容易に維持できるようになり、遮蔽性を向上できる。
また、内側巻取体を巻取方向及び繰出方向に回転可能に支持する回転支持体と、当該回転支持体が取付けられる躯体側取付部と、当該回転支持体と躯体側取付部とを着脱可能に連結する連結手段と、を備えたことにより、内側可撓性面状体の交換作業が容易となり、内側可撓性面状体の付け替えによって内側可撓性面状体の意匠の変化等を楽しむ模様替え等を容易に行えるようになる。
また、外側保持手段は、一端側が外側可撓性面状体の他端部と連結されるとともに、他端側が建物の躯体側にヒンジを介して回転可能に連結されたアームにより構成されているため、アームを回転させることで外側可撓性面状体の繰出し及び巻取りを簡単に行える。
さらに、内側保持手段は、アームの一端側に設けられて内側可撓性面状体の他端部を着脱可能に取付けるための取付部により構成されてるため、アームを回転させることで外側可撓性面状体及び内側可撓性面状体の繰出し及び巻取りを一緒に行えるようになる。
【図面の簡単な説明】
【０００７】
【図１】オーニング装置の側面図。
【図２】（ａ）はオーニング装置の非使用状態を示す斜視図、（ｂ）はオーニング装置の使用状態を示す斜視図。
【図３】内側巻取体取付手段の要部拡大図。
【発明を実施するための形態】
【０００８】
図１に示すように、オーニング装置１は、太陽光を遮るように張られる外側可撓性面状体２と、外側可撓性面状体２が繰り出し可能に巻き取られた外側巻取体３と、外側巻取体３を建物の躯体９０に取付けるための外側巻取体取付手段４と、外側可撓性面状体２が繰り出された状態に外側可撓性面状体２の他端部を保持する外側保持手段５と、太陽光を遮るように張られる内側可撓性面状体６と、内側可撓性面状体６が繰り出し可能に巻き取られた内側巻取体７と、内側巻取体７を建物の躯体９０に取付けるための内側巻取体取付手段８と、内側可撓性面状体６が繰り出された状態に内側可撓性面状体６の他端部を保持する内側保持手段９と、を備えて構成されている。
尚、本明細書においては、建物内部に近い側を「内側」、建物内部から遠い側を「外側」という。言い換えれば、建物の窓９１の外側に設けられたオーニング装置１において、太陽に近い側を「外側」、太陽から遠い側を「内側」という。
【０００９】
実施形態では、開閉装置としてのシャッター装置５０に設けられたオーニング装置１を例にして説明する。
図１；図２に示すように、シャッター装置５０は、シャッターボックス５１と、図外の開閉機構と、開閉体としてのシャッターカーテン５２、ガイドレール５４；５４と、を備える。
シャッター装置５０は、建物の窓９１の外側に窓９１を囲むように設けられている。
建物の窓９１は、建物の壁を貫通するように形成された開口部の開口縁に沿って開口部を囲むように建物の躯体９０に取付けられたサッシュ枠等の窓枠９２と、窓枠９２で囲まれた開口を開閉可能なように窓枠９２の内側に取付けられた引違扉、上下動扉、片開き扉等の開閉扉９３とを備えて構成される。
シャッターボックス５１は、窓枠９２の上方に位置する躯体９０に取付けられ、シャッターカーテン５２を巻き取るシャフト（巻取部）５３を回転可能に収容するとともに当該シャフト５３に巻き取られるシャッターカーテン５２を収容し、かつ、上述した外側巻取体３に巻き取られた外側可撓性面状体２及び内側巻取体７に巻き取られた内側可撓性面状体６を収容可能な収容空間を形成するように構成される。
シャッターボックス５１は、左右の側板５１ａ；５１ｂと、左右の側板５１ａ；５１ｂの上端縁側同士を連結する上部覆板５１ｃとを備え、外側可撓性面状体２及び内側可撓性面状体６を下方に引き出すことが可能なように下部が開口されている。
シャッターボックス５１内に設けられる開閉機構は、上述したシャフト５３と、シャフト５３の回転中心線５３ａを回転中心として当該シャフト５３を回転させる図外の回転作動機構とを備える。回転作動機構は、手動式シャッター装置の場合は、シャフト５３を巻き取り方向に回転させる図外のばね及びばねに蓄えられた回転力をシャフト５３に伝達するプーリーのような動力伝達手段などにより構成され、電動式シャッター装置の場合は、シャフト５３を巻き取り方向及び繰り出し（巻き出し）方向に回転させる図外の電動機及び電動機の回転力をシャフト５３に伝達する歯車伝達機構のような動力伝達手段などにより構成される。
シャッターカーテン５２は、スラット５２Ａと水切５２Ｂと吊元５２Ｃとを備え、例えば、スチール等の金属により形成される。
スラット５２Ａは、複数のスラット部材５２ａ；５２ａ…により形成される。スラット部材５２ａは、シャフト５３の回転中心線５３ａに沿った左右方向に長い長尺部材により形成される。スラット５２Ａは、複数のスラット部材５２ａがスラット部材５２ａの長手方向（スラット部材５２ａの長辺に沿った方向）と直交する方向に連続するように、隣り合うスラット部材５２ａ同士の長手方向の両端位置を揃えて長辺同士が図外の係合部によって互いに接続され、接続部分で折れ曲がり可能となった矩形板状に形成される。
吊元５２Ｃがスラット５２Ａにおけるスラット部材５２ａの長手方向と直交する方向の一端に位置されるスラット部材５２ａの長辺に連結され、水切５２Ｂがスラット５２Ａにおけるスラット部材５２ａの長手方向と直交する方向の他端に位置されるスラット部材５２ａの長辺に連結される。
吊元５２Ｃは、スラット５２Ａの一端に位置されるスラット部材５２ａの長辺に沿って当該長辺に間欠的に設けられてシャフト５３に連結される連結板である。
水切５２Ｂは、シャフト５３の回転中心線５３ａに沿った左右方向に長い長尺部材により形成される。水切５２Ｂの長手方向の長さはスラット部材５２ａの長手方向の長さよりも短く、水切５２Ｂの長手方向の中心位置とスラット部材５２ａの長手方向の中心位置とを揃えて水切５２Ｂの長辺とスラット５２Ａの他端に位置されるスラット部材５２ａの長辺とが図外の係合部によって互いに接続される。
ガイドレール５４は、シャッターカーテン５２の側端縁（左右の両端部）をガイドする部材であって、窓９１の矩形の中心を基準とした左右の方向（開口幅方向）に互いに離隔して窓９１の左端部；右端部にそれぞれ立設され、窓９１の上下方向に延長するガイド溝５４ａを備える。シャッターカーテン５２におけるスラット部材５２ａの長手方向の両端部であるシャッターカーテン５２の左右の側端縁が、左右のガイドレール５４；５４の相対向するガイド溝５４ａ；５４ａを介して、シャッターカーテン５２の開閉方向である上下方向にガイドされることで、シャッターカーテン５２が上下方向に移動して窓９１の外側を開閉する。
【００１０】
外側可撓性面状体２、及び、内側可撓性面状体６は、円筒状の巻取体（外側巻取体３、及び、内側巻取体７）に巻き付けられるとともに巻取体から繰り出されて面状に張られる厚さの薄い可撓性のシート状部材（例えば数ｍｍ程度までの厚さのシート状部材）であり、例えばアクリルやポリエステル等の合成繊維製のキャンバスと呼ばれる長尺な布生地により構成される。
外側可撓性面状体２、及び、内側可撓性面状体６は、例えば、長手方向の長さが建物の窓９１の窓枠９２の高さ寸法よりも長い寸法で、かつ、短手方向の長さが建物の窓９１の窓枠９２の横幅寸法よりも長い寸法に形成され、繰り出されて張られた場合、建物の外側から窓９１を覆える寸法のものが用いられる。
外側可撓性面状体２は、長手方向の一端側縁部が躯体９０側に設けられた外側巻取体３に連結され、長手方向の他端側縁部が外側保持手段５に連結されて、外側巻取体３に巻き取られ、他端側を引っ張ることにより外側巻取体から繰り出されるように構成されている。
内側可撓性面状体６は、長手方向の一端側縁部が躯体９０側に設けられた内側巻取体７に連結され、長手方向の他端側縁部が内側保持手段９に着脱可能な他端筒状体１０に連結されて、内側巻取体７に巻き取られ、他端側を引っ張ることにより内側巻取体７から繰り出されるように構成されている。
尚、本明細書において、「着脱可能」とは、単に係合させているのみで素手で着脱できたり、ねじをドライバー等の簡単な工具で着脱できる等の、専門の施工業者等による複雑な操作や特殊工具を用いずに、専門家でない通常の人間が比較的簡単な工具等で着脱が可能になっていることをいう。この観点では、後述する回転支持体４１等は、ボルトナット４４等によって、ある程度の風圧等に耐えて相当頑丈に取り付ける必要があるため、本明細書でいう「着脱可能」な構成にはなっていないが（もちろん、着脱することは施工業者等では可能である。）、使用上支障がなければ、内側巻取体側着脱手段８４や内側巻取体７と同様に本明細書でいう「着脱可能」な構成としてもよい。
【００１１】
外側巻取体３は、外側可撓性面状体２の長手方向の一端縁側が連結された円筒状の巻取筒体３１と、巻取筒体３１の筒の中心軸に沿って設けられた回転中心軸３２と、回転中心軸３２を回転中心として外側可撓性面状体２を巻き取る方向の回転力を巻取筒体３１に付与する巻取回転力付与手段３３とを備える。
即ち、外側可撓性面状体２の長手方向の一端縁側が連結された巻取筒体３１が回転中心軸３２を回転中心として回転可能なように外側巻取体取付手段に支持されており、かつ、巻取回転力付与手段３３としての例えばぜんまいばねの一端３４が巻取筒体３１に連結されるとともにぜんまいばねの他端３５が回転中心軸３２に連結されて、ぜんまいばねのばね力で巻取筒体３１に外側可撓性面状体２を巻き取る方向の回転力が付与されるとともに、ぜんまいばねのばね力に抗して巻取筒体３１が外側可撓性面状体２を繰り出す方向に回転可能なように構成されている。
【００１２】
また、内側巻取体７は外側巻取体３と同様に構成されている。
図３に示すように、内側巻取体７は、内側可撓性面状体６の長手方向の一端縁側が連結された円筒状の巻取筒体７１と、巻取筒体７１の筒の中心軸に沿って設けられた回転中心軸７２と、回転中心軸７２を回転中心として内側可撓性面状体６を巻き取る方向の回転力を巻取筒体７１に付与する巻取回転力付与手段７３としての例えばぜんまいばねとを備える。
即ち、内側可撓性面状体６の長手方向の一端縁側が連結された巻取筒体７１が回転中心軸７２を回転中心として回転可能なように内側巻取体取付手段に支持されており、かつ、巻取回転力付与手段７３としてのぜんまいばねの一端７４が巻取筒体７１に連結されるとともにぜんまいばねの他端７５が回転中心軸７２に連結されて、ぜんまいばねのばね力で巻取筒体７１に内側可撓性面状体６を巻き取る方向の回転力が付与されるとともに、ぜんまいばねのばね力に抗して巻取筒体７１が内側可撓性面状体６を繰り出す方向に回転可能なように構成されている。
【００１３】
図１に示すように、外側巻取体取付手段４は、外側巻取体３を回転可能に支持する回転支持体４１と、躯体側取付部４２とを備える。
回転支持体４１は、外側巻取体３の回転中心軸３２の両端が固定された左右の支持部材により構成される。
躯体側取付部４２は、例えば建物の躯体９０に固定されてシャッター装置５０のシャフト５３の左右の両端部を回転可能に支持する左右の端部ブラケット５５；５５により構成される。
回転支持体４１は、例えばボルトナット４４等の固定手段によって躯体側取付部４２に連結されている。
【００１４】
内側巻取体取付手段８は、内側巻取体７を回転可能に支持する回転支持体８１と、躯体側取付部８２とを備える。
回転支持体８１は、内側巻取体７の巻取筒体７１の両端側に配置された左右の支持部材８１Ａにより構成される。
支持部材８１Ａは、端部支持体８３と、端部支持体８３にねじ７８等で取付けられた内側巻取体側着脱手段８４とを備える（図３参照）。
躯体側取付部８２は、上述したシャッター装置５０の左右の端部ブラケット５５；５５と、左右の端部ブラケット５５；５５に図外のねじ等の連結手段でそれぞれ連結された左右の支持部材取付部８５；８５とを備える。
支持部材取付部８５は、支持板部８６と、支持板部８６の下面にねじ７９等で取付けられた躯体側着脱手段８７とを備える（図３参照）。支持部材取付部８５は、図外の固定手段によって、端部ブラケット５５や回転支持体４１等に固定されている。
内側巻取体側着脱手段８４は係合片８８；８９を備え、躯体側着脱手段８７は一方の係合片８８が係合する係合凹部６１と、他方の係合片８９に係合して当該他方の係合片８９を固定するとともに当該他方の係合片８９の固定を解除するロック部材６２とを備える。
【００１５】
従って、一方の係合片８８を係合凹部６１に係合させるとともに、ロック部材６２で他方の係合片８９を所定の位置で固定することにより、内側可撓性面状体６が巻き取られた内側巻取体７を躯体側取付部８２に取付けることができ、かつ、ロック部材６２を解除することにより、内側可撓性面状体６が巻き取られた内側巻取体７を躯体側取付部８２から取り外すことができるようになっている。
即ち、内側可撓性面状体６が巻き取られた内側巻取体７が、躯体側取付部８２に対して着脱可能に構成されているため、内側可撓性面状体６の付け替え作業を容易に行うことが可能となっている。また、内側巻取体７は、支持部材８１Ａの端部支持体８３に対して着脱可能に構成されている。
尚、ロック部材６２は、例えば、図３に示すように、板ばね６３の弾性力で係合片６４が他方の係合片８９に係合することで他方の係合片８９を躯体側取付部８２に固定するとともに、板ばねの撓みによって係合片６４が矢印Ａ方向に移動可能となって当該係合片６４に対する他方の係合片８９の係合着脱動作が行えるようになった係合部材によって構成されている。
【００１６】
即ち、内側巻取体７を巻取方向及び繰出方向に回転可能に支持する回転支持体８１と、当該回転支持体８１が取付けられる躯体側取付部８２と、当該回転支持体８１と躯体側取付部８２とを着脱可能に連結する連結手段としての内側巻取体側着脱手段８４及び躯体側着脱手段８７と、を備えている。
【００１７】
外側保持手段５は、例えば、一端に設けられた前枠５ｔが外側可撓性面状体２の他端部と連結され、他端側がガイドレール枠に設けられた連結部５ｂ（建物の躯体側連結部）にヒンジ５ｃを介して回転可能に連結されたアーム５Ａにより構成される。
尚、アーム５Ａは、電動で回転する構成、あるいは、手動で回転する構成のいずれで構成されていてもよい。また、アーム５Ａの一端に設けられた前枠５ｔには、前垂れ２ｔが取り付けられている。
このように、一端側が外側可撓性面状体２の他端部と連結されるとともに、他端側が建物の躯体９０側にヒンジ５ｃを介して回転可能に連結されたアーム５Ａを備えているため、アーム５Ａを回転させることで外側可撓性面状体２の繰出し及び巻取りを簡単に行えるようになる。
【００１８】
内側保持手段９は、アーム５Ａの一端側に設けられて、内側可撓性面状体６の長手方向の他端部の他端筒状体１０を着脱可能に取付けるための取付部としての筒状係合部９Ａにより構成される。
また、シャッターボックス５１の左右の側板５１ａ；５１ｂには、図１；図２（ａ）に示す非使用時（内側巻取体７に巻き取られた状態）の内側可撓性面状体６の他端部の他端筒状体１０の左右の端部を係留するための係留部１１を備える。
係留部１１は、下向きに開いた略コ字状の部材である。他端筒状体１０；１０は、係留部１１の下向き開口の略コ字状の空間部１１ａに収容され、下向きに延長する外側規制片１１ｂ及び内側規制片１１ｃに、巻取回転力付与手段７３の巻取力に抗して係合されている。２つの他端筒状体１０；１０のうち、外側の他端筒状体１０の引き出し側６ｄは、内側可撓性面状体６の外側から引き出されるので、外側規制片１１ｂの内側に係合させている。また、内側の他端筒状体１０の引き出し側６ｄは、内側可撓性面状体６の内側から引き出されるので、内側規制片１１ｃの外側に係合させている。
【００１９】
従って、内側可撓性面状体６の他端筒状体１０を筒状係合部９Ａに係合して内側可撓性面状体６の長手方向の他端部をアーム５Ａの一端側（前枠５ｔ側）に固定した後、アーム５Ａの一端側が円弧を描くようにヒンジ５ｃを回転中心としてアーム５Ａを下方に回転させることによって、図２（ｂ）に示すように、外側可撓性面状体２と内側可撓性面状体６とが一緒に繰り出されて張られることになる。即ち、アーム５Ａをヒンジ５ｃを回転中心として下方に回転させることで、外側可撓性面状体２及び内側可撓性面状体６の繰出し及び巻取りを一緒に行えるようになる。
【００２０】
このように、実施形態のオーニング装置１では、内側可撓性面状体６が、外側可撓性面状体２における太陽光を受ける側の面とは反対側の面と対面して太陽光を遮るように張られることが可能なように設けられていることによって、外側可撓性面状体２と内側可撓性面状体６とで遮蔽性を向上できる。
つまり、太陽光を遮るように張られる外側可撓性面状体２と、当該外側可撓性面状体２における太陽光を受ける側の面とは反対側の面と対面するように張られる内側可撓性面状体６と、を備えたので、外側可撓性面状体２と内側可撓性面状体６との相乗効果によって遮蔽性を向上できる。
【００２１】
尚、可撓性面状体を１つだけ備えた従来のオーニング装置において、遮蔽性を向上させる手法として、可撓性面状体の生地の厚さを厚くして遮蔽性能を向上させることも考えられるが、可撓性面状体の厚さを厚くすると、可撓性面状体の重量が嵩み、可撓性面状体を支持する部材の強度を大きくする必要があったり、可撓性面状体の巻取動作や繰出動作が重くなることで操作性が悪くなる等の可能性がある。
一方、実施形態のオーニング装置１では、内側可撓性面状体６と外側可撓性面状体２とを用いることにより、各可撓性面状体として比較的に生地の厚さの薄い可撓性面状体を用いることができ、可撓性面状体の重量を抑えることができるようになるため、可撓性面状体を支持する部材の強度を大きくする必要があったり、可撓性面状体の巻取動作や繰出動作が重くなることで操作性が悪くなる等といったことを回避できるようになる。
【００２２】
また、外側可撓性面状体２が繰り出された状態に外側可撓性面状体２の他端部を保持する外側保持手段としてのアーム５Ａと、内側可撓性面状体６が繰り出された状態に内側可撓性面状体６の他端部を保持する内側保持手段としての筒状係合部９Ａと、を備えたので、外側可撓性面状体２と内側可撓性面状体６とを太陽光を遮るように張られた状態に容易に維持できるようになり、遮蔽性を向上できる。
【００２３】
また、内側可撓性面状体６と外側可撓性面状体２とで異なる態様の可撓性面状体を用いることによって、建物の外から外側可撓性面状体２を見た場合の意匠と建物の内側から窓９１を介して内側可撓性面状体６を見た場合の意匠とを異ならせることが可能となるので、意匠性に優れたオーニング装置１を提供できる。
【００２４】
さらに、連結手段としての内側巻取体側着脱手段８４及び躯体側着脱手段８７を備えたことで、内側可撓性面状体６の交換作業が容易となり、内側可撓性面状体６の付け替えによって内側可撓性面状体６の意匠の変化等を楽しむ模様替え等を容易に行えるようになる。
【００２５】
尚、図１では、内側可撓性面状体６を２つ備えた構成のものを図示したが、内側可撓性面状体６は１つ以上備えていればよい。
また、内側可撓性面状体６を２つ以上装備する場合においては、例えば図１に示すように、各内側可撓性面状体６；６の他端部の引き出し側６ｄ；６ｄ間の間隔が最大となるように各内側可撓性面状体６；６を配置することによって、内側可撓性面状体６の繰出時、及び、巻取時に各内側可撓性面状体６；６同士が干渉しにくように構成することが好ましい。
【００２６】
また、上記では、内側保持手段９として筒状係合部９Ａがアーム５Ａの前枠５ｔ側（一端側）に設けられたことにより、アーム５Ａをヒンジ５ｃを回転中心として下方に回転させることで、外側可撓性面状体２と内側可撓性面状体６とを一緒に繰り出して張ることが可能な構成を例示したが、内側可撓性面状体６の長手方向の他端部を係留する内側保持手段９をアーム５Ａのヒンジ５ｃ側やガイドレール５４に設けるようにしてもよい。この場合、外側可撓性面状体２と内側可撓性面状体６とを連動させずに、外側可撓性面状体２、及び、内側可撓性面状体６を単独で使用することが可能となり、遮蔽量を調整することが可能となる。
【００２７】
尚、上記では、シャッター装置５０と組み合わされたオーニング装置１を例示したが、本発明のオーニング装置は、建物の開口部の周囲の躯体等にシャッター装置と組み合わせることなく単独で設置することも可能である。
また、本発明のオーニング装置の特徴は、建物の躯体等に取付けられる構成以外に、地上に固定あるいは仮設置された複数本の支柱の上端間を覆うような構成のオーニング装置にも適用可能である。
【符号の説明】
【００２８】
１  オーニング装置、２  外側可撓性面状体、３  外側巻取体、５  外側保持手段、
５Ａ  アーム（外側保持手段）、５ｃ  ヒンジ、６  内側可撓性面状体、
７  内側巻取体、９  内側保持手段、９Ａ  筒状係合部（内側保持手段、取付部）、
８１  回転支持体、８２  躯体側取付部、８４  内側巻取体側着脱手段（連結手段）、
８７  躯体側着脱手段（連結手段）、９０  躯体。
【図１】
2016176187.tif 000003
【図２】
2016176187.tif 000004
【図３】
2016176187.tif 000005